(57)【特許請求の範囲】
【請求項１】
噴出駆動部２の往復動により装着した容器体内の液を吸い上げて噴出口より噴出する如く構成した液体噴出ポンプＡに於ける噴出駆動部の復帰機構１であって、噴出駆動部２と、該噴出駆動部２が内部で往復動するシリンダ６との間に、一端開口部をシリンダ６に摺動可能に嵌合させた可動シール部３で閉塞するとともに、噴出駆動部２が摺動可能に嵌合され且つシリンダ６に固定した固定シール部で他端開口部を閉塞することにより密閉した空気室Ｒを設け、上記可動シール部３は上記噴出駆動部２と連動して空気室Ｒを拡張するとともに、拡張させた空気室Ｒの負圧による可動シール部３の復帰に伴って噴出駆動部２を復帰させる如く構成してなることを特徴とする噴出駆動部の復帰機構。
【請求項２】
上記液体噴出ポンプＡが、容器体内に下端を垂下させた状態で固定させるシリンダ６の上端開口より上下動可能に突出させたステム７の上端に噴出口付きの押し下げヘッド８を固定してなる噴出駆動部2aを備えた押し下げヘッド式の液体噴出ポンプA1である請求項１記載の噴出駆動部の復帰機構。
【請求項３】
上記空気室Ｒが、シリンダ６上端部に外周縁部を密嵌し且つ内周縁部をステム７外面に摺動可能に密嵌させた環状の固定シール部15下方のシリンダ６とステム７との間に設けた空気室R1であり、上記可動シール部３がステム７外周下部より突設してその外周面をシリンダ６内面に摺動可能に密嵌させることにより空気室R1の下端開口部を閉塞させてなる環状の可動シール部3aである請求項２記載の噴出駆動部の復帰機構。
【請求項４】
容器体内に下端を垂下させた状態で固定させるシリンダ６の上端開口より上下動可能に突出させたステム７の上端に噴出口付きの押し下げヘッド８を固定してなる噴出駆動部2aを備えた押し下げヘッド式の液体噴出ポンプA1に於ける噴出駆動部の復帰機構１であって、シリンダ６内下部中央に下端開口の筒状部17を画成するとともに、該筒状部内周面に板状の可動シール部3bの外周縁を摺動可能に密嵌させて空気室R2を形成し、可動シール部3b下面に一端を固定するとともに、上面を上記噴出駆動部2a下面に当接させ、且つ、シリンダ６内中央部を上下動可能に異形連結部18を設けて可動シール部3bを噴出駆動部2aと連動変移する如く構成し、噴出駆動部2aの押し下げにより拡張させた空気室R2の負圧による可動シール部3bの復帰に伴って噴出駆動部2aを復帰させる如く構成したことを特徴とする噴出駆動部の復帰機構。
【請求項５】
上記液体噴出ポンプＡが、装着した容器体上方にシリンダ６を横設したポンプ本体９を固定するとともに、シリンダ６の前端開口より前後動可能に突設したピストンロッド10にトリガー11を連携させた噴出駆動部2bを有するトリガー式の液体噴出ポンプA2である請求項１記載の噴出駆動部の復帰機構。
【請求項６】
上記空気室Ｒが、シリンダ６前端部に外周縁部を密嵌し且つ内周縁部をピストンロッド10外面に摺動可能に密嵌させた環状の固定シール部25後方のシリンダ６とピストンロッド10との間に設けた空気室R3であり、上記可動シール部３が、ピストンロッド10外周後部より突設してその外周縁をシリンダ内面に摺動可能に密嵌させることにより空気室R3の後端開口部を閉塞させた環状の可動シール部3cである請求項５記載の噴出駆動部の復帰機構。
【請求項７】
装着した容器体上方にシリンダ６を横設したポンプ本体９を固定するとともに、シリンダ６の前端開口より前後動可能に突設したピストンロッド10にトリガー11を連携させた噴出駆動部2bを有するトリガー式の液体噴出ポンプA2に於ける噴出駆動部の復帰機構１であって、ポンプ本体９の後部より後方に後端開口の筒状部27を突設し、該筒状部内周面に可動シール部3dの外周縁を摺動可能に密嵌させて空気室R4を形成し、上記トリガー11と可動シール部３とを機械的に連携させて可動シール部3dを上記噴出駆動部2bと連動変移する如く構成し、トリガー11の作動により拡張させた空気室R4の負圧による可動シール部3dの復帰に伴って噴出駆動部2bを復帰させる如く構成したことを特徴とする噴出駆動部の復帰機構。
【発明の詳細な説明】
【０００１】
【発明の属する技術分野】
本発明は液体噴出ポンプに於ける噴出駆動部の復帰機構に関する。
【０００２】
【従来の技術】
液体噴出ポンプとして、例えば、装着する容器体内に下端を垂下させた状態で固定させるシリンダの上端開口より上方付勢状態で上下動可能に突出させたステム上端に押し下げヘッドを嵌着固定してなる噴出駆動部を備え、該噴出駆動部の上下動により容器体内の液を吸い上げてヘッドの噴出口より噴出する如く構成してなる所謂押し下げヘッド式のもの、或いは、装着した容器体上方に横設固定したシリンダの前端開口より前方付勢状態で前後動可能に突設したピストンロッドの先端にトリガーを連携させた噴出駆動部を備え、該噴出駆動部の前後動により容器体内の液を吸い上げて上記シリンダを含むポンプ本体の噴出口より噴出する如く構成してなる所謂トリガー式のもの等が知られている。
【０００３】
【発明が解決しようとする課題】
従来のこの種ポンプに於ける噴出駆動部の復帰機構、即ち、前者にあっては噴出駆動部を押し下げた際に元の上昇位置に復帰する復帰機構、或いは後者にあっては、トリガーを手前に引いてピストンロッドが後方へ移行した際に、それらが元の前方位置に復帰する復帰機構として一般に金属製のコイルスプリングを使用している。
【０００４】
噴出駆動部の復帰機構に上記金属製のコイルスプリングを採用しているものでは、良好な復帰機能を発揮してポンプの良好な液注出機能を発揮できるものではあるが、近年の廃棄物処理事情では、金属とプラスチックの分別処理が要望され、従来のものでは、これらコイルスプリングが一般に微細であること、内部に密閉されていること等の理由によりこの分別が極めて困難であった。
また、組み立てに際しても、これらコイルスプリングは微細のため取り扱いが不便であった。
【０００５】
この様な事情を考慮してプラスチック製のコイルスプリング使用の試みも行われているようではあるが、プラスチック製のコイルスプリングは現状では弾発力に劣り、その結果、噴出駆動部の作動に支障を来す虞があり、いまのところ現実的ではない。
【０００６】
本発明は上記した点に鑑みなされたもので、金属製のコイルスプリングに代わる合成樹脂等により成形できるとともに、優れた噴出駆動部の復帰能力を備え、また、構造も簡単で容易に製造できる利点も兼ね備えた噴出駆動部の復帰機構を提案するものである。
【０００７】
第１の手段として、噴出駆動部２の往復動により装着した容器体内の液を吸い上げて噴出口より噴出する如く構成した液体噴出ポンプＡに於ける噴出駆動部の復帰機構１であって、噴出駆動部２と、該噴出駆動部２が内部で往復動するシリンダ６との間に、一端開口部をシリンダ６に摺動可能に嵌合させた可動シール部３で閉塞するとともに、噴出駆動部２が摺動可能に嵌合され且つシリンダ６に固定した固定シール部で他端開口部を閉塞することにより密閉した空気室Ｒを設け、上記可動シール部３は上記噴出駆動部２と連動して空気室Ｒを拡張するとともに、拡張させた空気室Ｒの負圧による可動シール部３の復帰に伴って噴出駆動部２を復帰させる如く構成した。
【０００８】
第２の手段として、上記第１の手段に於いて、上記液体噴出ポンプＡが、容器体内に下端を垂下させた状態で固定させるシリンダ６の上端開口より上下動可能に突出させたステム７の上端に噴出口付きの押し下げヘッド８を固定してなる噴出駆動部2aを備えた押し下げヘッド式の液体噴出ポンプA1である如く構成した。
【０００９】
第３の手段として、上記第２の手段に於いて、上記空気室Ｒが、シリンダ６上端部に外周縁部を密嵌し且つ内周縁部をステム７外面に摺動可能に密嵌させた環状の固定シール部15下方のシリンダ６とステム７との間に設けた空気室R1であり、上記可動シール部３がステム７外周下部より突設してその外周面をシリンダ６内面に摺動可能に密嵌させることにより空気室R1の下端開口部を閉塞させてなる環状の可動シール部3aである如く構成した。
【００１０】
第４の手段として、容器体内に下端を垂下させた状態で固定させるシリンダ６の上端開口より上下動可能に突出させたステム７の上端に噴出口付きの押し下げヘッド８を固定してなる噴出駆動部2aを備えた押し下げヘッド式の液体噴出ポンプA1に於ける噴出駆動部の復帰機構１であって、シリンダ６内下部中央に下端開口の筒状部17を画成するとともに、該筒状部内周面に板状の可動シール部3bの外周縁を摺動可能に密嵌させて空気室R2を形成し、可動シール部3b下面に一端を固定するとともに、上面を上記噴出駆動部2a下面に当接させ、且つ、シリンダ６内中央部を上下動可能に異形連結部18を設けて可動シール部3bを噴出駆動部2aと連動変移する如く構成し、噴出駆動部2aの押し下げにより拡張させた空気室R2の負圧による可動シール部3bの復帰に伴って噴出駆動部2aを復帰させる如く構成した。
【００１１】
第５の手段として、前記第１の手段に於いて、上記液体噴出ポンプＡが、装着した容器体上方にシリンダ６を横設したポンプ本体９を固定するとともに、シリンダ６の前端開口より前後動可能に突設したピストンロッド10にトリガー11を連携させた噴出駆動部2bを有するトリガー式の液体噴出ポンプA2である如く構成した。
【００１２】
第６の手段として、前記第５の手段に於いて、上記空気室Ｒが、シリンダ６前端部に外周縁部を密嵌し且つ内周縁部をピストンロッド10外面に摺動可能に密嵌させた環状の固定シール部25後方のシリンダ６とピストンロッド10との間に設けた空気室R3であり、上記可動シール部３が、ピストンロッド10外周後部より突設してその外周縁をシリンダ内面に摺動可能に密嵌させることにより空気室R3の後端開口部を閉塞させた環状の可動シール部3cである如く構成した。
【００１３】
第７の手段として、装着した容器体上方にシリンダ６を横設したポンプ本体９を固定するとともに、シリンダ６の前端開口より前後動可能に突設したピストンロッド10にトリガー11を連携させた噴出駆動部2bを有するトリガー式の液体噴出ポンプA2に於ける噴出駆動部の復帰機構１であって、ポンプ本体９の後部より後方に後端開口の筒状部27を突設し、該筒状部内周面に可動シール部3dの外周縁を摺動可能に密嵌させて空気室R4を形成し、上記トリガー11と可動シール部３とを機械的に連携させて可動シール部3dを上記噴出駆動部2bと連動変移する如く構成し、トリガー11の作動により拡張させた空気室R4の負圧による可動シール部3dの復帰に伴って噴出駆動部2bを復帰させる如く構成した。
【００１４】
【発明の実施の形態】
以下、本発明の実施例の形態を図面を参照して説明する。
図面に示す如く、本発明の復帰機構１は、液体噴出ポンプＡに於ける噴出駆動部２の復帰機構であって、密閉された空気室Ｒと、上記噴出駆動部２と連動して空気室Ｒを拡張する如く変位する可動シール部３とを備え、拡張させた空気室Ｒの負圧による可動動シール部３の復帰に伴って噴出駆動部２を復帰させる如く構成したものである。
【００１５】
上記液体噴出ポンプＡとして、噴出駆動部２の往復動により装着した容器体４内の液を吸い上げて噴出口５より噴出する如く構成したものであれば、どの様なものにも採用でき、例えば、図１乃至図３に示す如く、容器体４内に下端を垂下させた状態で固定させるシリンダ６の上端開口より上下動可能に突出させたステム７の上端に噴出口付きの押し下げヘッド８を固定してなる噴出駆動部2aを備えた押し下げヘッド式の液体噴出ポンプA1、或いは、図４乃至図７に示す如く、装着した容器体上方にシリンダ６を横設したポンプ本体９を固定するとともに、シリンダ６の前端開口より前後動可能に突出したピストンロッド10にトリガー11を連携させた噴出駆動部2bを有するトリガー式の液体噴出ポンプA2等が挙げられる。
【００１６】
上記各ポンプは、例えばシリンダ６内面に外周縁を摺動可能に嵌合させた環状ピストン12をステム７下部或いはピストンロッド10後部に連携させ、また、シリンダ６を介してその上流に吸い込み弁13を、下流に吐出弁14を備え、噴出駆動部２の押し込みにより加圧させたシリンダ６内の液が吐出弁14を開いて噴出口５より噴出され、また、噴出駆動部２の復帰の際にはシリンダ６内が負圧化して吐出弁14が閉じ、吸い込み弁13が開いて容器体内の液を吸い上げる如く構成した公知のポンプ機構を備えたものが採用できる。
【００１７】
上記空気室Ｒ及び可動シール部３の形態は、一端開口部を可動シール部３で閉塞することにより密閉された空気室Ｒであれば、また、噴出駆動部２と連動して空気室Ｒを拡張する如く変移する可動シール部であれば種々採用できるものである。また、空気室Ｒの可動シール部３変移前の大きさ、或いは変移後の大きさ等は、ポンプ全体の大きさや収納液の粘度等の種々の条件により適宜選択すると良い。因みに、空気室Ｒの可動シール部３の変移前の大きさが大きければ噴出駆動部２の可動を行い易く、反面復帰力は小さくなると思われる。
【００１８】
図１に示す押し下げヘッド式ポンプA1の実施例の場合は、空気室Ｒを、シリンダ６内上部のステム７との間に設けた空気室R1として構成しており、この空気室R1は、シリンダ６上端部に外周縁部を密嵌し且つ内周縁部をステム７外面に摺動可能に密嵌させた環状の固定シール部15下方のシリンダ６とステム７との間に設けている。また可動シール部３は、ステム７外周下部より突設してその外周面をシリンダ６内面に摺動可能に密嵌させた環状をなす可動シール部3aとして構成しており、上記空気室R1の下端開口部を閉塞する如く構成している。本実施例では、この可動シール部3aを噴出駆動部2aの環状ピストン12と兼用している。
【００１９】
この場合には、押し下げヘッド８を押し下げると可動シール部3aが下方へ移行して空気室R1が拡張し、押し下げヘッド８の押圧を解除すると空気室の負圧化により可動シール部3aが上昇し、それに伴って噴出駆動部2a全体が上昇して元の状態に復帰する如く構成している。
【００２０】
また、押し下げヘッド式ポンプの場合に図２及び３に示す実施例の如く、空気室Ｒをシリンダ内下部中央に設けることもできる。本実施例では、空気室Ｒを、シリンダ６内下部に周方向複数突設した連結板16を介して下端開口の筒状部17をシリンダ６内下部中央に画成し、その内部に形成した空気室R2として構成している。また、可動シール部３は、上記筒状部17内周上端部に外周縁を摺動可能に密嵌させた板状の可動シール部3bとして構成し、該シール部により空気室R2下端開口部を閉塞している。更に、可動シール部3b下端に一端を固定するとともに、上面を噴出駆動部２下面に当接させ、且つ、上下動可能に設けた異形連結部18を設けることにより、可動シール部3bを上記噴出駆動部2aと連動変移する如く構成している。本実施例の異形連結部18は、上記可動シール部3bを上端に固定した支柱19を底板20上面中央部より起立させるとともに、底板20周縁部より上記筒状部17周囲に起立させた周壁21上面をステム７下面に当接係止させて構成している。また、その周壁21上部には、上記各連結板16を挿通可能な縦切り溝22を周方向所定数設けている。また、本実施例の場合は、上記筒状部17の頂板部23中央下面に凹部24を設け、可動シール部3bの上面が筒状部の頂板部23下面に密接した状態で係止されており、空気室R2が最小状態では、空気室R2の空気量はこの凹部24内に存在する空気量としている。
【００２１】
この場合も押し下げヘッド８を押し下げると異形連結部18を介して可動シール部3bが下方へ移行して空気室R2が拡張し、押し下げヘッド８の押圧を解除すると空気室R2の負圧化により可動シール部3bが上昇し、それに伴って噴出駆動部2b全体が上昇して元の状態に復帰する。
【００２２】
また、図４及び図５に示す如きトリガー式ポンプA2の場合は、上記空気室Ｒを、シリンダ６前端部に外周縁部を密嵌し且つ内周縁部をピストンロッド10外面に摺動可能に密嵌させた環状の固定シール部25後方のシリンダ６とピストンロッド10との間に設けた空気室R3として構成している。また、可動シール部３は、ピストンロッド10の外周後部より突設してその外周縁をシリンダ６内面に摺動可能に密嵌させた環状をなし、上記空気室の後端開口部を閉塞する如く構成した可動シール部3cとして構成している。本実施例でも、可動シール部3cを環状ピストン12と兼用している。更に、可動シール部3cの前面をフラットに形成してその中央部にリング状の凹部26を設けており、可動シール部3cの前面が空気室R3の前壁後面に密接した状態で係止されており、空気室R3の最小状態では、空気室R3の空気量はこの凹部26内に存在する空気量としている。そして、図４の状態からトリガー11を手前に引くと空気室R3が拡張されつつピストンロッド10が後方へ移行し、次いでトリガー11の押圧を解除することにより、負圧化した空気室R3により可動シール部3cが前方へ移行し、それに伴ってピストンロッド10及びトリガー11が前方へ移行し、元の状態に復帰する如く構成している。
【００２３】
また、図６及び図７に示すトリガー式ポンプA2の場合は、空気室Ｒは、上記ポンプ本体９の後部より後方に突設した後端開口の筒状部27内に形成した空気室R4として構成しており、可動シール部３は、この筒状部27内周面に外周縁を摺動可能に密嵌させて空気室の後端開口部を閉塞させた板状に構成した可動シール部3dとして構成している。また、トリガー11と可動シール部3dとを機械的に連携させて可動シール部3dを上記噴出駆動部2bと連動変移する如く構成している。本実施例では、可動シール部3d後面より取り付け用突部28を突設し、また、上記トリガー11両側にそれぞれ一端を軸着するとともに、ポンプ本体９外方を通り後方へ延設して、上記取り付け用突部28両側に他端をそれぞれ軸着させた連結杆29を設けてトリガー11と可動シール部3dとを機械的に連携させている。また、筒状部27の前壁を形成するポンプ本体後壁に凹部30を設け、可動シール部3dの前面が筒状部の前壁後面に密接した状態で係止されており、空気室R4が最小状態では空気室の空気量はこの凹部30内に存在する空気量としている。
【００２４】
この場合はトリガー11を手前に引くとピストンロッド10が後方へ移行するとともに、空気室R4が拡張されつつ可動シー部3dが筒状部27内を後方へ移行し、次いでトリガー11の押圧を解除することにより、負圧化した空気室R4により可動シール部3dが前方へ移行し、それに伴ってトリガーが前方へ押し戻されるとともに、トリガー11と連携させているピストンロッド10が前方へ引き戻され、元の状態に復帰する如く構成している。
【００２５】
尚、上記各部材は全て合成樹脂を使用して形成することができ、必要に応じてエラストマー等を併用して形成することができる。
【００２６】
【発明の効果】
以上説明した如く本発明復帰機構は、噴出駆動部２の往復動により装着した容器体内の液を吸い上げて噴出口より噴出する如く構成した液体噴出ポンプＡに於ける噴出駆動部の復帰機構１であって、密閉された空気室Ｒと、上記噴出駆動部２と連動して空気室Ｒを拡張する如く変位する可動シール部３とを備え、拡張させた空気室Ｒの負圧による可動シール部３の復帰に伴って噴出駆動部２を復帰させる如く構成したので、従来のこの種ポンプに於ける復帰機構の如き金属製のコイルスプリングを使用しないで、合成樹脂或いはエラストマー等のポンプ本体と分別処理の必要のない材質により形成することができ、しかも、噴出駆動部の復帰能力にも優れて円滑なポンプ機能を発揮できるものである。
また、その構造も簡単であるため、容易且つ安価に製造できる利点も兼ね備えている。
【００２７】
また、第３，第４及び第６の手段に記載した復帰機構では、それを備えるポンプが、従来のその種ポンプと比較して全く或いは其ほど大きさを増すことなく形成できる利点も兼ね備えている。
【図面の簡単な説明】
【図１】  本発明復帰機構を備えた押し下げヘッド式ポンプの一例を示す半断面図である。
【図２】  本発明復帰機構を備えた押し下げヘッド式ポンプの他の例を示す縦断面図である。
【図３】  同実施例の噴出駆動部を押し下げた状態を示す縦断面図である。
【図４】  本発明復帰機構を備えたトリガー式ポンプの一例を示す縦断面図である。
【図５】  同実施例の噴出駆動部を後方へ押し込んだ状態を示す縦断面図である。
【図６】  本発明復帰機構を備えたトリガー式ポンプの他の例を示す縦断面図である。
【図７】  同実施例の噴出駆動部を後方へ押し込んだ状態を示す縦断面図である。
【符号の説明】
１…復帰機構，２，2a，2b…噴出駆動部，
３，3a，3b，3c，3d…可動シール部，
６…シリンダ，７…ステム，８…押し下げヘッド，９…ポンプ本体，
１０…ピストンロッド，１１…トリガー，１５…固定シール部，
１７…筒状部，１８…異形連結部，２５…固定シール部，２７…筒状部，
Ａ…液体噴出ポンプ，Ａ１…押し下げヘッド式液体噴出ポンプ，
Ａ２…トリガー式液体噴出ポンプ，Ｒ，Ｒ１，Ｒ２，Ｒ３，Ｒ４…空気室
【図１】
0003681841.tif 000002
【図２】
0003681841.tif 000003
【図３】
0003681841.tif 000004
【図４】
0003681841.tif 000005
【図５】
0003681841.tif 000006
【図６】
0003681841.tif 000007
【図７】
0003681841.tif 000008